(57)【要約】【課題】複数種類の電圧系の交流電源で使用可能であり、チョークコイルを用いて力率改善を行なう昇圧チョッパ方式のスイッチング電源回路において、簡単かつ安価な構成で電圧検出のみを行なって、低電圧系の交流電源で使用されるときのスイッチング電源回路自体の効率を高くしてその省電力化等を図る。【解決手段】交流電圧検出部１８ａにより給電された交流電源の電圧を検出し、低電圧系の電圧を検出するときに、昇圧チョッパ部３で昇圧し、平滑して形成した負荷給電用の前記直流電源の検出電圧を、検出電圧補正部２６により昇圧補正して昇圧チョッパ部３の昇圧率を低減し、簡単かつ安価な構成により、電圧検出のみを行なって、力率改善用のチョークコイル４にかかる負担を軽減して効率を改善する。【選択図】図１
2007209083.tif 000002
【特許請求の範囲】
【請求項１】
複数種類の電圧系の交流電源で使用可能であり、給電された交流電源の整流出力を力率改善用のチョークコイルが設けられた昇圧チョッパ部で昇圧して平滑し、負荷給電用の直流電源を形成するスイッチング電源回路において、給電された交流電源の電圧を検出する交流電圧検出部と、該交流電圧検出部が低電圧系の電圧を検出するときに前記直流電源の検出電圧を昇圧補正して前記昇圧チョッパ部の昇圧率を低減する検出電圧補正部とを備えたことを特徴とするスイッチング電源回路。
【請求項２】
給電された交流電源を全波整流する整流部を備え、前記昇圧チョッパ部に、前記整流部の整流出力が通流する前記チョークコイルを高周波スイッチッグにより断続的に後段回路部に接続するスイッチング部と、前記後段回路部を形成し、前記整流部の整流出力と前記チョークコイルの蓄積エネルギとを直列合成した昇圧チョッパ出力を平滑して前記直流電源を形成する平滑部と、前記直流電源の電圧を検出し、前記交流電圧検出部が低電圧系の電圧を検出するときに前記検出電圧補正部により前記直流電源の検出電圧が昇圧補正される直流電圧検出部と、該直流電圧検出部の前記検出電圧が設定電圧になるように前記高周波スイッチングを制御するチョッパ制御部とを設けたことを特徴とする請求項１記載のスイッチング電源回路。
【請求項３】
前記チョッパ制御部に、前記直流電源の電圧変化にしたがって発振周波数が変化し、前記高周スイッチングの周波数を設定する自走発振手段と、前記直流電圧検出部の検出電圧と前記自走発振手段の発振出力との電圧比較に基づき、前記チョークコイルが前記後段回路部から切り離されるエネルギ蓄積期間を前記直流電圧検出部の検出電圧の逆に可変する前記発振周波数のチョッパ制御信号を形成する制御信号形成手段とを設け、前記チョッパ制御信号により前記スイッチング部の前記高周波スイッチングを制御し、給電された交流電源の電圧の高低に応じて前記高周波スイッチングの周波数が高低変化するようにしたことを特徴とする請求項２記載のスイッチング電源回路。
【発明の詳細な説明】
【技術分野】
【０００１】
本発明は、複数種類の電圧系の交流電源で使用可能な昇圧チョッパ方式のスイッチング電源回路に関する。
【背景技術】
【０００２】
従来、液晶テレビやプラズマテレビ等の映像機器の電源部は、電源プラグを通して給電される交流電源から、液晶パネルやプラズマディスプレイパネルの駆動等に必要な高電圧の直流電源を昇圧形成している。
【０００３】
ところで、前記電源部に給電される交流電源の電圧は映像機器が使用される国や地域等によって異なり、例えば、１００Ｖ系、１２０Ｖ系等のいわゆる１００Ｖ系電源では１００Ｖ〜１２０Ｖになり、２００Ｖ系、２４０Ｖ系統のいわゆる２００Ｖ系電源では２２０Ｖ〜２４０Ｖになる。
【０００４】
そこで、この種の映像機器の電源部は、小型化及び軽量化を図ると共に、前記の１００Ｖ系、２００Ｖ系等の複数種類の電圧系の交流電源のいずれでも使用可能にして映像機器の部品の共通化等を図るため、電源高周波トランスを省いた昇圧チョッパ方式のスイッチング電源回路に形成される。
【０００５】
この場合、力率の改善を図って交流電源側の高調波対策を講じることが要求されるため、前記スイッチング電源回路は、入力側に力率改善用のチョークコイルが設けられて昇圧チョッパ型力率改善回路に構成される（例えば、特許文献１参照。）。
【０００６】
さらに、使用可能な交流電源が、例えば、高電圧系としての２２０Ｖ系と低電圧系としての１００Ｖ系の２種類の電圧系の電源の場合、スイッチング電源回路は、高電圧系の２２０Ｖの交流電源に対する効率が最も高くなるように、チョークコイル等の回路部品や回路定数等が選定され、また、１００Ｖ系、２２０Ｖ系のいずれの交流電源で使用されるときにも、２２０Ｖの交流電源に対して最も効率が高くなる３８０Ｖ〜４００Ｖの直流電源を形成するように設計される。
【０００７】
ところで、前記の昇圧チョッパ型力率改善回路に構成されたスイッチング電源回路においては、いわゆるチョークインプットで力率の改善を図るため、チョークコイル等での損失が大きく、その分、回路の効率が低下する。
【０００８】
そして、特に低電圧系の交流電源で使用されるときには、高電圧系の交流電源で使用されるときより昇圧チョッパの昇圧率が高くなり、チョッパ制御のオン期間（チョークコイルのエネルギ蓄積期間）が長くなってチョークコイルにかかる負担が増えるため、効率の低下が顕著になる。
【０００９】
そこで、チョークコイルを通流する交流電源の全波整流出力の電圧と、チョッパ制御の昇圧を平滑した直流電源（力率制御回路の出力）の電圧の分圧との誤差電圧（第１の誤差電圧）と、前記全波整流出力の電圧とを乗算して誤差正弦波電圧を形成し、この誤差正弦波電圧と前記全波整流出力の電流検出値とを大小比較し、その比較出力で全波整流出力の断続（昇圧チョッパ）を制御し、交流電源の電圧変化に対して、交流入力電流を正弦波に保って力率を一定に維持しつつ前記直流電源（力率制御回路の出力）の電圧を可変し、低電圧系の交流電源で使用されるときの力率制御回路の変換効率の低下を抑制することが提案されている（例えば、特許文献２参照。）。
【特許文献１】特開平７−１３１９８４号公報（［０００５］−［００１２］、図１等）
【特許文献２】特開２００１−８６７３７号公報（要約、［０００８］、［００１５］、図１等）
【発明の開示】
【発明が解決しようとする課題】
【００１０】
上記特許文献２の構成の場合、交流入力電流を正弦波に制御して力率を一定に維持するため、全波整流出力の電圧と直流電源（力率制御回路の出力）の電圧の分圧との誤差電圧（第１の誤差電圧）を演算する誤差増幅器、この誤差増幅器の出力と全波整流出力の電圧とを乗算して誤差正弦波電圧を形成する乗算器、誤差正弦波電圧と全波整流出力の電流検出値とを大小比較する比較器等の多数の回路部品を要し、極めて複雑かつ高価な構成になり、しかも、電圧及び電流の両方を検出して処理しなければならない問題がある。
【００１１】
そのため、簡単かつ安価な構成で電圧検出のみを行なって、低電圧系の交流電源で使用されるときのスイッチング電源回路の効率を改善してその省電力化等を図ることができず、更には、この種のスイッチング電源回路を電源部として搭載した液晶テレビやプラズマテレビ等の映像機器の省電力化等を図ることもできない。
【００１２】
本発明は、複数種類の電圧系の交流電源で使用可能であり、チョークコイルを用いて力率改善を行なう昇圧チョッパ方式のスイッチング電源回路において、簡単かつ安価な構成で電圧検出のみを行なって、低電圧系の交流電源で使用されるときのスイッチング電源回路自体の効率を高くしてその省電力化等を図り、更には、このスイッチング電源回路を電源部として搭載した液晶テレビやプラズマテレビ等の映像機器の省電力化等が図れるようにする。
【００１３】
なお、本発明において、「複数種類の電圧系の交流電源」とは、２種類以上の電圧系の交流電源であり、例えば上記の２２０Ｖ系、２００Ｖ系、１２０Ｖ系、１００Ｖ系の全部又はいずれか３種類或いは２種類の電圧系の交流電源である。又、高電圧系、低電圧系それぞれに属する電圧系は、使用条件等によって定められ、いずれも１つとは限られず、例えば、２２０Ｖ系、２００Ｖ系、１２０Ｖ系、１００Ｖ系で使用可能な場合、２２０Ｖ系が高電圧系に属して残りの３つが低電圧系に属してもよく、２２０Ｖ系、２００Ｖ系が高電圧系に属して残りの１２０Ｖ系、１００Ｖ系が低電圧系に属してもよい。
【課題を解決するための手段】
【００１４】
上記の目的を達成するために、本発明のスイッチング電源回路は、複数種類の電圧系の交流電源で使用可能であり、給電された交流電源の整流出力を力率改善用のチョークコイルが設けられた昇圧チョッパ部で昇圧して平滑し、負荷給電用の直流電源を形成するスイッチング電源回路において、給電された交流電源の電圧を検出する交流電圧検出部と、該交流電圧検出部が低電圧系の電圧を検出するときに前記直流電源の検出電圧を昇圧補正して前記昇圧チョッパ部の昇圧率を低減する検出電圧補正部とを備えたことを特徴としている（請求項１）。
【００１５】
より具体的には、給電された交流電源を全波整流する整流部を備え、前記昇圧チョッパ部に、前記整流部の整流出力が通流する前記チョークコイルを高周波スイッチッグにより断続的に後段回路部に接続するスイッチング部と、前記後段回路部を形成し、前記整流部の整流出力と前記チョークコイルの蓄積エネルギとを直列合成した昇圧チョッパ出力を平滑して前記直流電源を形成する平滑部と、前記直流電源の電圧を検出し、前記交流電圧検出部が低電圧系の電圧を検出するときに前記検出電圧補正部により前記直流電源の検出電圧が昇圧補正される直流電圧検出部と、該直流電圧検出部の前記検出電圧が設定電圧になるように前記高周波スイッチングを制御するチョッパ制御部とを設けたことを特徴としている（請求項２）。
【００１６】
さらに、前記チョッパ制御部に、前記直流電源の電圧変化にしたがって発振周波数が変化し、前記高周波スイッチングの周波数を設定する自走発振手段と、前記直流電圧検出部の検出電圧と前記自走発振手段の発振出力との電圧比較に基づき、前記チョークコイルが前記後段回路部から切り離されるエネルギ蓄積期間を前記直流電圧検出部の検出電圧の逆に可変する前記発振周波数のチョッパ制御信号を形成する制御信号形成手段とを設け、前記チョッパ制御信号により前記スイッチング部の前記高周波スイッチングを制御し、給電された交流電源の電圧の高低に応じて前記高周波スイッチングの周波数が高低変化するようにしたことを特徴としている（請求項３）。
【発明の効果】
【００１７】
まず、請求項１の発明によれば、低電圧系の交流電源で使用されるときに、交流電圧検出部の低電圧系の電圧検出に基づいて、検出電圧補正部が直流電源の検出電圧を昇圧補正して昇圧チョッパ部の昇圧率を低減するため、前記直流電源の電圧は高電圧系の交流電源で使用されるときより低くなるが、力率改善用のチョークコイルにかかる負担が軽減され、効率が改善されて向上する。
【００１８】
そのため、前記チョークコイルによる力率改善を行なうと共に、上記の誤差増幅、乗算器、比較器等を用いない簡単かつ安価な構成により、電圧検出のみを行なって、低電圧系の交流電源で使用されるときのスイッチング電源回路の効率を改善して省電力化等を図ることができ、更には、このスイッチング電源回路を電源部として搭載した液晶テレビやプラズマテレビ等の映像機器の省電力化等を図ることができる。
【００１９】
又、請求項１に係る請求項２の発明によれば、給電された交流電源が整流部により全波整流され、その全波整流出力が力率改善用のチョークコイルを通流すると共に、スイッチング部の高周波スイッチングによって前記チョークコイルが断続的にエネルギ蓄積状態と後段回路部への逆起電圧のエネルギ放出状態とに変化する。
【００２０】
そして、チョークコイルに後段回路部が接続されて前記のエネルギ放出状態になる毎に、前記整流部の全波整流出力と前記チョークコイルの蓄積エネルギの逆起電圧とを直列合成して形成された昇圧チョッパ出力が平滑部で平滑され、出力の直流電源が形成される。
【００２１】
更に、前記直流電源の電圧が直流電圧検出部で検出され、直流電圧検出部の検出電圧が設定電圧になるようにチョッパ制御部がスイッチング部の高周波スイッチングを制御することによって昇圧チョッパ部の昇圧率が定まり、前記直流電源はその昇圧率で昇圧された電圧（設定電圧）になる。
【００２２】
そして、低電圧系の交流電源で使用されるときは、交流電圧検出部の低電圧系の電圧の検出に基づき、検出電圧補正部により前記直流電源の検出電圧が昇圧補正されるため、昇圧チョッパ部の昇圧率が昇圧補正しないときより低減されて小さくなり、前記直流電源の電圧は高電圧系の交流電源で使用されるときより低くなるが、前記チョークコイルはエネルギ蓄積期間が短くなって負担が軽減され、効率が改善されて向上する。
【００２３】
そのため、請求項１の効果を奏する一層具体的な構成のスイッチング電源回路を提供することができる。
【００２４】
更に、請求項２に係る請求項３の発明によれば、チョッパ制御部の自走発振手段の発振周波数によってスイッチング部の高周波スイッチングの周波数が定まり、しかも、直流電源の電圧の高低変化にしたがって前記発振周波数が高低変化するため、昇圧チョッパ部の昇圧率が高くなって前記蓄積エネルギを大きくする必要がある低電圧系の交流電源での使用時には前記高周波スイッチングの周波数が低くなり、昇圧チョッパ部の昇圧率が低くなって前記蓄積エネルギが少なくて済む高電圧系の交流電源での使用時には前記高周波スイッチングの周波数が高くなり、前記高周波スイッチングの周波数が給電される交流電源の電圧系にとって効率及び力率の面から好ましい周波数に自動的に変化する。
【００２５】
しかも、制御信号形成手段の電圧比較に基づき、直流電源の検出電圧が設定電圧に上昇するにしたがって前記高周波スイッチングの各エネルギ充電期間が短くなるため、低電圧系の交流電源での使用時、検出電圧補正部により直流電源の検出電圧が昇圧補正されて前記高周波スイッチングの各エネルギ充電期間が補正しないときより短くなり、昇圧チョッパ部の昇圧率が低減されて力率改善用のチョークコイルの負担が一層軽減され、効率が向上する。
【００２６】
したがって、給電される交流電源の電圧系に応じた高周波スイッチングの周波数変化と、低電圧系の交流電源での使用時の直流電源の検出電圧の昇圧補正とにより、低電圧系の交流電源での使用時の効率を一層改善することができるだけでなく、給電される交流電源の電圧によらず、効率及び力率を改善することができる。
【発明を実施するための最良の形態】
【００２７】
つぎに、本発明をより詳細に説明するため、その実施形態について、図１〜図８にしたがって詳述する。
【００２８】
（一実施形態）
まず、一実施形態について、図１〜図７を参照して説明する。
【００２９】
図１は液晶テレビやプラズマテレビ等の映像機器に電源部として搭載されるスイッチング電源回路の結線図であり、このスイッチング電源回路は、例えば２２０Ｖ系の交流電源と１００Ｖ系の交流電源のいずれでも使用可能である。
【００３０】
図２、図３は高電圧系である２２０Ｖ系の交流電源での使用時、低電圧系である１００Ｖ系の交流電源での使用時それぞれの図１の動作説明用の波形図である。
【００３１】
図４、図５、図６は異なる条件下で実測された図１のチョークコイルの電圧、電流の波形図、図７は図５の波形を時間軸圧縮した波形図である。
【００３２】
そして、図１に示すように、電源プラグから給電された交流電源は１対の交流入力端子１ａ、１ｂからダイオードブリッジの全波整流回路構成の整流部２に供給され、この整流部２で全波整流される。
【００３３】
整流部２は負側の直流端子ｎがアースされ、整流部２の正側の直流端子ｐに昇圧チョッパ部３に設けられた力率改善用のチョークコイル４の一端が接続されている。このチョークコイル４の他端は、逆流防止用のダイオード５のアノード、カソードを介して負荷給電用の直流電源の出力端子６が接続されると共に、スイッチング部を形成するＦＥＴ７のドレイン、ソースを介してアースされている。
【００３４】
更に、ダイオード５のカソードは平滑部を形成するコンデンサ８を介してアースされ、ダイオード５、コンデンサ８によってチョークコイル４の他端の後段回路部９が形成されている。
【００３５】
そして、昇圧チョッパ部３に設けられたチョッパ制御部１０の出力部（ドライバ）１１からＦＥＴ７のゲートに供給されたチョッパ制御信号ＳＷにより、ＦＥＴ７は、例えば２２０Ｖ系の交流電源での使用時には１５０ｋＨｚ、１００Ｖ系の交流電での使用時には１００ｋＨｚの周波数で高周波スイッチングする。
【００３６】
このとき、ＦＥＴ７がオンするチョッパ制御のオン期間Ｔｏｎはチョークコイル４のエネルギ蓄積期間であり、このオン期間Ｔｏｎには、チョークコイル４の他端がＦＥＴ７のドレイン、ソースを介してアースされ、チョークコイル４から後段回路部９が切り離された状態になり、整流部２の全波整流出力が直流端子ｐからチョークコイル４、ＦＥＴ７のドレイン、ソースを介して直流端子ｎに通流し、ＦＥＴ７にエネルギが蓄積される。
【００３７】
つぎに、ＦＥＴ７がオフしてチョッパ制御のオフ期間Ｔｏｆｆに移行すると、チョークコイル４はオン期間Ｔｏｎに応じた蓄積エネルギの逆起電圧が発生し、この状態でチョークコイル４に後段回路部９が接続される。そのため、後段回路部９のコンデンサ８が整流部２の整流出力の電圧とチョークコイル４の蓄積エネルギの逆起電圧とを直列合成した昇圧チョッパ出力の電圧で充電され、コンデンサ８によって前記昇圧チョッパ出力が平滑される。
【００３８】
そして、ＦＥＴ７が高周波スイッチングして前記のエネルギの蓄積とコンデンサ８の充電とを繰り返すことにより、高周波スイッチングの周波数及びオン期間Ｔｏｎに応じた昇圧率で整流出力の電圧を昇圧した負荷給電用の直流電源が形成され、この直流電源が直流出力端子６から映像機器内の各回路部（負荷）１２に供給される。
【００３９】
前記負荷給電用の直流電源の大きさ（出力電力）は負荷に応じて設定され、その電圧は後述のチョッパ制御に基づく前記昇圧率で定まる。
【００４０】
そして、本発明においては、高電圧系（２２０Ｖ系）の交流電源が給電されるときだけでなく、低電圧系（１００Ｖ系）の交流電源が給電されるときにも効率を向上するため、給電される交流電源の電圧系に応じて前記昇圧率を変え、前記負荷給電用の直流電源を、低電圧系（１００Ｖ系）の交流電源が給電されるときに、高電圧系（２２０Ｖ系）の交流電源が給電されるときより低くする。
【００４１】
具体的には、この実施形態の場合、種々の実験等に基づいて、高電圧系（２２０Ｖ系）の交流電源が給電されるときの前記負荷給電用の直流電源の電圧は３８０Ｖ〜４００Ｖ程度であり、低電圧系（１００Ｖ系）の交流電源が給電されるときの前記負荷給電用の直流電源の電圧は、それより低い３００Ｖ程度である。
【００４２】
なお、高電圧系の交流電源が給電されるときと、低電圧系の交流電源が給電されるときとで前記負荷給電用の直流電源の電圧が変化するため、映像機器内の各回路部１２は、許容される電源電圧範囲が前記負荷給電用の直流電源の電圧範囲（３００Ｖ〜４００Ｖ程度の範囲）をカバーするように広く設定されたり、使用される国や地域等に応じて許容される電源電圧の範囲が変更されたりする。
【００４３】
つぎに、直流出力端子６の直流電源の電圧が、直流出力端子６とアースとの間に分圧用の抵抗１３、１４を直列接続して形成された直流電圧検出部１５によって検出され、抵抗１３、１４の接続点の検出電圧Ｖｄｃがチョッパ制御部１０の比較器１６に反転入力端子（−）に入力される。
【００４４】
又、チョッパ制御部１０に自走発振手段を形成する発振器１７が設けられ、この発振器１７は直流出力端子６の直流電源を分圧したチョッパ制御部１０の駆動電源で動作し、設定された時定数で充放電をくり返して高周波数で自走発振し、図２（ａ）、図３（ａ）に示す設定振幅Ｖｋの鋸波形又は三角波形の高周波数の発振出力Ｖｓを形成する。
【００４５】
この発振出力ＶｓはＦＥＴ７の高周波スイッチングの周波数を設定し、前記駆動電圧が２２０Ｖ系の交流電源のときに高くなって１００Ｖ系の交流電源のときに低くなるため、前記発振出力Ｖｓの周波数は２２０Ｖ系の交流電源のときに１００Ｖ系の交流電源のときより高くなる。
【００４６】
そして、発振出力Ｖｓの周波数は力率や効率を考慮した種々の実験等に基づき、前記駆動電源の電圧Ｖｋや時定数を選定して設定され、例えば前記直流電源が１５０Ｗクラスの電源の場合、２２０Ｖ系の交流電源のときに１５０ｋＨｚになり、１００Ｖ系の交流電源のときに１００ｋＨｚになる。
【００４７】
さらに、発振出力Ｖｓが比較器１６の非反転入力端子（＋）に供給され、この比較器１６により検出電圧Ｖｄｃと発振出力Ｖｓとが電圧比較され、図２（ｂ）、図３（ｂ）に示すチョッパ制御信号ＳＷが形成される。
【００４８】
このチョッパ制御信号ＳＷは、発振出力Ｖｓが検出電圧Ｖｄｃより高くなる間にＦＥＴ７の前記オン期間Ｔｏｎを設定するハイレベル（以下、Ｈという）になり、発振出力Ｖｓが検出電圧Ｖｄｃより低くなる間にＦＥＴ７の前記オフ期間Ｔｏｆｆを設定するローレベル（以下、Ｌという）になり、出力部１１で増幅されてＦＥＴ７のゲートに供給される。
【００４９】
そして、検出電圧Ｖｄｃの高低に応じてＦＥＴ７のオン期間Ｔｏｎとオフ期間Ｔｏｆｆの割合が変化し、ＦＥＴ７の高周波スイッチングが直流電圧検出部１５の検出電圧Ｖｄｃに基づいてフィードバック制御される。
【００５０】
このフィードバック制御により、２２０Ｖ系の交流電源で使用されるときには、直流出力端子６の負荷給電用の直流電源の電圧が３８０Ｖ〜４００Ｖ程度になり、このとき回路部品や回路定数の設定等に基づき、効率が最も高くなる。
【００５１】
一方、交流入力端子１ａ、１ｂ間の交流電源の電圧を検出する交流電圧検出部１８ａが設けられ、この交流電圧検出部１８ａは交流入力端子１ｂに逆流防止用のダイオード１９のアノードを接続し、このダイオード１９のカソードとアースとの間に分圧用の抵抗２０、２１を直列に設けて形成され、交流入力端子１ａ、１ｂ間の交流電源によって交流入力端子１ｂが正電圧になる前記交流電源の半サイクルの電圧をトランスレスで検出する。
【００５２】
この検出により、抵抗２０、２１の接続点に前記交流電源の検出電圧Ｖａｃが発生し、この検出電圧Ｖａｃが抵抗２１に並列に設けられたコンデンサ２２により保持されて比較器２３の反転入力端子（−）に印加される。
【００５３】
また、検出電圧Ｖａｃが抵抗２４を介して定電圧ダイオード２５のカソードに印加され、この定電圧ダイオード２５は、交流入力端子１ａ、１ｂ間の交流電源が２２０Ｖ系のときの検出電圧Ｖａｃでオンし、交流入力端子１ａ、１ｂ間の交流電源が１００Ｖ系のときの検出電圧Ｖａｃではオフする。なお、図１の＋Ｂは比較器１６、２３の電源端子である。
【００５４】
そして、定電圧ダイオード２５のカソード電圧が比較器２３の非反転入力端子（＋）に印加され、比較器２３は、定電圧ダイオード２５がオンしてそのカソード電圧が検出電圧Ｖａｃより低い定電圧になる２２０Ｖ系の交流電流のときは出力がＬになり、定電圧ダイオード２５がオフしてそのカソード電圧が検出電圧Ｖａｃになる１００Ｖ系の交流電流のときに出力がＨになる。
【００５５】
この比較器２３の出力が検出電圧補正部２６のトランジスタ２７のベースに入力され、このトランジスタ２７は１００Ｖ系の交流電流のときにのみオンする。
【００５６】
そして、トランジスタ２７がオンすると、直流電圧検出部１５の抵抗１４に並列に抵抗２８が接続され、この並列接続により、１００Ｖ系の交流電流のときには、図３（ａ）に示すように、検出電圧Ｖｄｃがトランジスタ２７がオフした状態の電圧Ｖｄｃ＊から昇圧補正される。
【００５７】
この昇圧補正により、図３（ｂ）に示すように、チョッパ制御信号ＳＷのＨの期間、すなわち、ＦＥＴ７のオン期間Ｔｏｎが、電圧Ｖｄｃ＊に基づく期間Ｔｏｎ＊より短くなる。
【００５８】
したがって、昇圧率が高くなる１００Ｖ系の交流電源が給電されるときには、ＦＥＴ７の高周波スイッチングの各１周期のオン期間Ｔｏｎが、電圧Ｖｄｃ＊に基づく期間Ｔｏｎ＊より短くなる。
【００５９】
そのため、１００Ｖ系の交流電源で使用されるときには、昇圧チョッパ部３の昇圧率が電圧Ｖｄｃ＊に基づいて昇圧する場合より低減され、直流出力端子６の負荷給電用の直流電源の電圧が、電圧Ｖｄｃ＊に基づいて２２０Ｖ系の交流電源で使用されるときと同じ３８０Ｖ〜４００Ｖ程度に昇圧されるされるのではなく、それより低い３００Ｖ程度になる。
【００６０】
このとき、図３（ｃ）に斜線で示すチョークコイル４のエネルギ蓄積期間が、期間Ｔｏｎ＊からオン期間Ｔｏｎに短くなり、チョークコイル４にかかる負担が軽減され、その分、回路の効率が向上する。
【００６１】
そして、２２０Ｖ系の交流電源で使用されるときのチョークコイル４のエネルギ蓄積期間は、検出電圧Ｖｄｃに基づき、図２（ｃ）の斜線の期間になる。
【００６２】
また、チョークコイル４の端子間の電圧ＶＬ、通流する電流ＩＬの波形を実測したところ、２２０Ｖ系の交流電源で使用されるときは図４に示す波形が得られ、１００Ｖ系の交流電源で使用されるときは図５に示す波形が得られた。
【００６３】
さらに、比較のために、１００Ｖ系の交流電源で使用されるときにトランジスタ２７がオフした状態でチョークコイル４の端子間の電圧ＶＬ、通流する電流ＩＬの波形を実測したところ、図６の波形が得られた。
【００６４】
そして、１００Ｖ系の交流電源で使用されるときに検出電圧Ｖｃｄを昇圧補正することで、チョークコイル４の電圧ＶＬ、電流ＩＬが小さくなってチョークコイル４にかかる負担が軽減されることは、図５、図６の波形の比較からも明らかである。
【００６５】
又、１００Ｖ系の交流電源で使用されるときのチョークコイル４の電圧ＶＬ、電流ＩＬの波形を、時間軸を変えて圧縮して観測したところ、図７に示すように、チョークコイル４によって滑らかになっており、力率の改善効果が損なわれることもない。
【００６６】
そして、この実施形態の場合、図１の交流電圧検出部１８ａ、検出電圧補正部２６を設けたことにより、簡単かつ安価な構成により、電圧検出のみを行なって、１００Ｖ系の交流電源で使用されるときに、直流電源の検出電圧Ｖｃｄを昇圧補正して昇圧チョッパ部３の昇圧率を昇圧補正しないときより低減し、チョークコイル４にかかる負担を軽減してスイッチング電源回路の効率を改善し、その省電力化等を図ることができ、更には、このスイッチング電源回路を電源部として搭載した液晶テレビやプラズマテレビ等の映像機器の省電力化等を図ることができる。なお、昇圧チョッパ部３の昇圧率が低減されるため、チョークコイル４の小型化等を図ることも可能になる。
【００６７】
さらに、交流電源の電圧系に応じてＦＥＴ７の高周波スイッチングの周波数が変化するため、昇圧率が低い２２０Ｖ系の交流電源のときの昇圧チョッパ部３の電圧、電流の出力波形の歪み及び、昇圧率が高い１００Ｖ系の交流電源のときの昇圧チョッパ部３の電圧、電流の出力波形の歪みが共に減少し、効率が一層向上すると共に力率の改善効果も向上する。
【００６８】
なお、２２０Ｖ系、１００Ｖ系の交流電源に対する昇圧チョッパ部３の昇圧率や検出電圧補正部２６による検出電圧Ｖｄｃの昇圧補正量、ＦＥＴ７のスイッチング周波数等は、直流電源の電圧設定等に基づいて、適当に設定すればよいのは勿論である。
【００６９】
（他の実施形態）
【００７０】
この実施形態において、一実施形態と異なる点は、図８に示すように、図１のトランスレスの交流電圧検出部１８ａに代えて、トランス式の交流電圧検出部１８ｂを設けた点である。
【００７１】
そして、交流入力端子１ａ、１ｂ間の交流電源を抵抗２９、３０により分圧して絶縁用のトランス３１の１次側に供給し、その２次側の交流出力をダイオード３２で整流し、コンデンサ３３を介して比較器３４の反転入力端子（−）に印加すると共に、抵抗３５を介して定電圧ダイオード３６のカソードに印加し、このカソードの電圧を比較器３４の非反転入力端子（＋）に印加する。
【００７２】
この場合も、交流入力端子１ａ、１ｂ間の交流電源が２２０Ｖ系のときは比較器３４の出力がＬになり、交流入力端子１ａ、１ｂ間の交流電源が１００Ｖ系のときは比較器３４の出力がＨになる。
【００７３】
したがって、この実施形態の場合は、トランス３１により交流電源側（１次側）と検出側（２次側）とを絶縁して前記一実施形態の場合と同様の効果を奏することができる。さらに、この実施形態のトランス式交流電圧検出の場合、トランス３１にて電圧調整が可能であり、前記一実施形態（トランスレス式交流電圧検出）の交流電圧検出部１８ａの抵抗２０、２１に相当する交流電圧検出部１８ｂの抵抗２９、３０の抵抗値を大きくすることができ、又、定電圧ダイオード３６での損失電力を抑えることができるため、待機電力の軽減を図ることが可能になる。
【００７４】
そして、本発明は上記した両実施形態に限定されるものではなく、その趣旨を逸脱しない範囲において上述したもの以外に種々の変形実施を行うことが可能であり、例えば、３種類以上の多種類の電圧系の交流電で使用される構成の場合にも適用することができる。
【００７５】
この場合、交流電源の電圧系をＶ１系、Ｖ２系、Ｖ３系と表記する３種類（Ｖ１＞Ｖ２＞Ｖ３）とし、Ｖ１系を高電圧系、Ｖ２系、Ｖ３系を低電圧系とすると、例えば交流電圧検出部１８ａに、定電圧ダイオード２５とはブレーク電圧が異なる第二の定電圧ダイオードと、抵抗２４、比較器２３に相当する第二の抵抗、比較器とを更に設け、両比較器の出力のＨ、Ｌの組合せから、Ｖ１系、Ｖ２系、Ｖ３系を区別して検出し、又、検出電圧補正部２６に第二のトランジスタ２７、抵抗２８を設け、交流電圧検出部１８ａの両比較器の出力の論理ゲート出力により、検出電圧補正部２６の両トランジスタ２７それぞれをオンオフし、検出電圧Ｖｄｃを、Ｖ１系では昇圧補正せず、Ｖ２系では一方のトランジスタ２７のみをオンして昇圧補正し、Ｖ３系では両方のトランジスタ２７をオンしてさらに大きく昇圧補正し、Ｖ２系、Ｖ１系の交流電に対して個別に効率を向上することも可能である。
【００７６】
又、各部をデジタル回路で形成することができるのは勿論であり、更に、マイクロコンピュータのソフトウエア処理で実現することもできる。
【図面の簡単な説明】
【００７７】
【図１】本発明の一実施形態の結線図である。
【図２】高電圧系（２２０Ｖ系）の交流電源での使用時の図１の動作説明用の波形である。
【図３】低電圧系（１００Ｖ系）の交流電源での使用時の図１の動作説明用の波形である。
【図４】高電圧系（２２０Ｖ系）の交流電源での使用時の図１のチョークコイルの電圧、電流の実測波形図である。
【図５】低電圧系（１００Ｖ系）の交流電源での使用時の図１のチョークコイルの電圧、電流の実測波形図である。
【図６】低電圧系（１００Ｖ系）の交流電源での使用時の比較のためのチョークコイルの電圧、電流の実測波形図である。
【図７】図５の実測波形図の時間軸を変えて時間圧縮した状態の図１のチョークコイルの電圧、電流の波形図である。
【図８】本発明の他の実施形態の結線図である。
【符号の説明】
【００７８】
２    整流部
３    昇圧チョッパ部
４    チョークコイル
７    ＦＥＴ（スイッチング部）
８    コンデンサ（平滑部）
９    後段回路部
１０    チョッパ制御部
１５    直流電圧検出部
１７    発振器（自走発振手段）
１８ａ、１８ｂ    交流電圧検出部
２６    検出電圧補正部
【図１】
2007209083.tif 000003
【図２】
2007209083.tif 000004
【図３】
2007209083.tif 000005
【図４】
2007209083.tif 000006
【図５】
2007209083.tif 000007
【図６】
2007209083.tif 000008
【図７】
2007209083.tif 000009
【図８】
2007209083.tif 000010